(57)【要約】【課題】本発明は、グリップ支柱側のブラケットシューと、このブラケットシューに取り付ける外部ストロボ用等の外部機器ベースユニットとを振動を発生させることなく安定に結合させることができ、カメラマンの撮影操作性の向上を図れるような水中カメラハウジングのハンドグリップ体を提供する。【解決手段】本発明は、水中カメラハウジング１のハウジング本体２の側部に取り付けられる外部機器取り付け部を兼ねるハンドグリップ体２１Ａであって、ハンドグリップ体２１Ａを構成するグリップ支柱２２の頂部２２ａに、熱可塑性エンジニアリングプラスチックにより側面略Ｔ状を呈する形状に形成されるとともに、金属製の外部機器ベースユニット４１がネジ止め装着可能なネジ受３１を備えるブラケットシュー２８を配置したものである。【選択図】図１
2009157170.tif 000002
【特許請求の範囲】
【請求項１】
水中カメラハウジングのハウジング本体側部に取り付けられる外部機器取り付け部を兼ねるハンドグリップ体であって、
ハンドグリップ体を構成するグリップ支柱の頂部に、熱可塑性エンジニアリングプラスチックからなるブラケットシューを配置したことを特徴とする水中カメラハウジングのハンドグリップ体。
【請求項２】
水中カメラハウジングのハウジング本体側部に取り付けられる外部機器取り付け部を兼ねるハンドグリップ体であって、
ハンドグリップ体を構成するグリップ支柱の頂部に、熱可塑性エンジニアリングプラスチックにより側面略Ｔ状を呈する形状に形成されるとともに、金属製の外部機器ベースユニットがネジ止め装着可能なネジ受を備えるブラケットシューを配置したことを特徴とする水中カメラハウジングのハンドグリップ体。
【請求項３】
水中カメラハウジングのハウジング本体の両側部に各々取り付けられる一対の外部機器取り付け部を兼ねるハンドグリップ体であって、
各ハンドグリップ体を構成する各グリップ支柱の頂部に、熱可塑性エンジニアリングプラスチックにより側面略Ｔ状を呈する形状に形成されるとともに、金属製の外部機器ベースユニットがネジ止め装着可能なネジ受を備えるブラケットシューを各々配置したことを特徴とする水中カメラハウジングのハンドグリップ体。
【発明の詳細な説明】
【技術分野】
【０００１】
本発明は、水中カメラハウジングのハンドグリップ体に関するものである。
【背景技術】
【０００２】
水中カメラハウジング内にデジタルカメラ等のカメラを内蔵し、水中にて水中植物、魚類等のような被写体の撮影を行う際には、水中カメラハウジングのハウジング本体の側部に一体的に配置したハンドグリップ体の頂部に対して、外部ストロボや水中ランプ等の外部機器類を取り付けて被写体を照明することが行われる。
【０００３】
このようなハンドグリップ体の従来構造としては、ハンドグリップ体の頂部に金属製のブラケットシューを配置しておき、このブラケットシューに対してやはり金属製からなる外部ストロボ等の外部機器ベースユニットを装着し、ネジ止め固定するものが殆どである。
【０００４】
しかし、このような金属製のブラケットシューと、金属製の外部機器ベースユニットとの結合構造の場合、金属面同士が接合するものであるため、水中で被写体の撮影を行う際に、摩擦、摩耗等に起因してブラケットシューと外部機器ベースユニットとの間に微小振動が生じ易く、このため、外部機器ベースユニットにより支持されている外部ストロボ等を安定して保持できず、水中撮影時におけるカメラマンの撮影操作に支障を来たすという問題が生じる。
【０００５】
特許文献１には、水中カメラユニットに対して、ユニット化グリップアームを一体に取り付け、このユニット化グリップアームにより外部ストロボ等のベースユニットを取り付けた構成の水中カメラ用アームシステムが提案されている。
【０００６】
しかし、この特許文献１の場合もユニット化グリップアームとベースユニットとの取り付け構造に格別の配慮はなされていない。
【特許文献１】特開平１１−２３７６８８号
【発明の開示】
【発明が解決しようとする課題】
【０００７】
本発明が解決しようとする問題点は、グリップ支柱側のブラケットシューと、このブラケットシューに取り付ける外部ストロボ用等の外部機器ベースユニットとを振動を発生させることなく安定に結合させることができ、カメラマンの撮影操作性の向上を図れるような水中カメラハウジングのハンドグリップ体が存在しない点である。
【課題を解決するための手段】
【０００８】
本発明に係る水中カメラハウジングのハンドグリップ体は、水中カメラハウジングのハウジング本体側部に取り付けられる外部機器取り付け部を兼ねるハンドグリップ体であって、ハンドグリップ体を構成するグリップ支柱の頂部に、熱可塑性エンジニアリングプラスチックからなるブラケットシューを配置したことを最も主要な特徴とする。
【発明の効果】
【０００９】
請求項１記載の発明によれば、熱可塑性エンジニアリングプラスチックからなるブラケットシューによる優れた耐摩擦摩耗性によって、ブラケットシューに取り付ける外部機器ベースユニットとの間の微小振動の発生を無くし、外部機器ベースユニットにより支持されている外部ストロボ等を安定した状態で保持することが可能となり、水中撮影時におけるカメラマンの撮影操作性の向上を実現できる水中カメラハウジングのハンドグリップ体を提供できる。
【００１０】
請求項２記載の発明によれば、熱可塑性エンジニアリングプラスチックからなり側面略Ｔ状を呈する形状に形成したブラケットシューによる優れた耐摩擦摩耗性によって、ブラケットシューに取り付ける外部機器ベースユニットとの間の微小振動の発生を無くし、外部機器ベースユニットにより支持されている外部ストロボ等を安定した状態で保持することが可能となり、水中撮影時におけるカメラマンの撮影操作性の向上を実現できる水中カメラハウジングのハンドグリップ体を提供できる。
【００１１】
請求項３記載の発明によれば、熱可塑性エンジニアリングプラスチックからなり側面略Ｔ状を呈する形状に形成したブラケットシューをハウジング本体の両側部に配置したハンドグリップ体に各々設けた構成で、各ブラケットシューに各々取り付ける外部機器ベースユニットとの間の微小振動の発生を無くし、外部機器ベースユニットにより支持されている外部ストロボ等を安定した状態で保持することが可能となり、水中撮影時におけるカメラマンの撮影操作性の向上を実現できる水中カメラハウジングのハンドグリップ体を提供できる。
【発明を実施するための最良の形態】
【００１２】
本発明は、グリップ支柱側のブラケットシューと、このブラケットシューに取り付ける外部ストロボ用等の外部機器ベースユニットとを振動を発生させることなく安定に結合させることができ、カメラマンの撮影操作性の向上を図れるような水中カメラハウジングのハンドグリップ体を提供する。
【００１３】
本発明は、水中カメラハウジングのハウジング本体側部に取り付けられる外部機器取り付け部を兼ねるハンドグリップ体であって、ハンドグリップ体を構成するグリップ支柱の頂部に、熱可塑性エンジニアリングプラスチックにより側面略Ｔ状を呈する形状に形成されるとともに、金属製の外部機器ベースユニットがネジ止め装着可能なネジ受を備えるブラケットシューを配置した構成により上記目的を実現した。
【実施例】
【００１４】
以下に、本発明の実施例に係る水中カメラハウジングのハンドグリップ体について図面を参照して詳細に説明する。
【００１５】
本実施例に係る水中カメラハウジング１のハンドグリップ体２１Ａ、２１Ｂは、図１に示すように、水中カメラハウジング１のハウジング本体２の左右両側部に各々取り付けられ、各々カメラマンの左右両手用のグリップ部として機能するグリップ支柱２２を具備するとともに、その頂部に金属製からなる外部ストロボ等の外部機器を取り付けるためのブラケットシュー２８を配置している。
【００１６】
さらに詳述すると、図１においてハウジング本体２の正面から見て（紙面手前側から見て）左側に配置するハンドグリップ体２１Ａは、図２に示すように、棒状でかつカメラマンの指で把持される部分に凹凸部を設けたグリップ支柱２２の下部に、ハウジング本体２への取り付けブラケット２３を備えている。
【００１７】
この取り付けブラケット２３を平座金２４、バネ座金２５を介在させつつキャップスクリューネジ２６を用いて図３に示すハウジング本体２の外側面下部に設けた受ネジ孔３の部分にネジ込み固定するようになっている。
【００１８】
前記グリップ支柱２２の頂部２２ａは円形状に形成され、このグリップ支柱２２の頂部２２ａ上に金属製の略長方形状の吊り下げベルトプレート２７、熱可塑性エンジニアリングプラスチックにより形成したブラケットシュー２８を重合状態でネジ止め固定するようになっている。
【００１９】
すなわち、前記頂部２２ａにはネジ孔２２ｂが円形配置に設けられ、前記吊り下げベルトプレート２７には、一対のネジ挿通孔２７ａ、２７ａと、ベルト孔２７ｃが設けられている。
【００２０】
また、前記ブラケットシュー２８は、図２に示すように、側面Ｔ状を呈するように上側両側片部２９ａ、２９ａを下側の基部２９ｂから各々外方に突出させた全体として略直方体形状に形成されるとともに、図１に示すように取り付けネジ４３を備えた金属製の外部機器ベースユニット４１の凹陥部４２を側方からスライド嵌合可能としている。
【００２１】
前記ブラケットシュー２８は、前記吊り下げベルトプレート２７に設けた一対のネジ挿通孔２７ａ、２７ａと対応する配置に一対の皿受孔３０ａ、３０ａを上下貫通構造で備えるとともに、前記皿受孔３０ａ、３０ａの中間部に上方に開口するネジ受３１を装着することにより形成され、一対の皿ネジ３２、３２を用いてこのブラケットシュー２８を前記吊り下げベルトプレート２７とともに前記グリップ支柱２２の頂部２２ａにネジ止め固定するように構成している。
【００２２】
また、前記ブラケットシュー２８のネジ受３１に、前記取り付けネジ４３を螺合することで、前記外部機器ベースユニット４１をブラケットシュー２８上にネジ止め固定する構成としている。
【００２３】
図１においてハウジング本体２の正面から見て（紙面手前側から見て）右側に配置するハンドグリップ体２１Ｂも、図４に示すように、前記ハンドグリップ体２１Ａと左右対象である点を除き全く同様に構成され、図５に示すハウジング本体２の外側面下部に設けた受ネジ孔４の部分にネジ込み固定するようになっている。尚、前記ハウジング本体２は、上述したものの他種々の構成要素を含むが本実施例においてはその説明を省略する。
【００２４】
ここで、前記ブラケットシュー２８の素材である熱可塑性エンジニアリングプラスチックについて説明する。
【００２５】
前記ブラケットシュー２８の素材である熱可塑性エンジニアリングプラスチックとしては、ポリアセタール・コポリマーと称されものであり、例えばＭＥＰジュラコン（登録商標：ポリプラスチックス（株））と称されるものを使用するものである。
【００２６】
この熱可塑性エンジニアリングプラスチックは、優れた耐摩擦摩耗性、優れた耐疲労性、広い温度範囲で耐クリープ性等、極めて優れた物理的性能を発揮する。
【００２７】
本実施例に係る水中カメラハウジング１のハンドグリップ体２１Ａによれば、熱可塑性エンジニアリングプラスチックを素材とするブラケットシュー２８を、前記吊り下げベルトプレート２７とともに前記グリップ支柱２２の頂部２２ａにネジ止め固定するように構成し、このブラケットシュー２８に対して金属製の外部機器ベースユニット４１をネジ止め固定するようにしている、
【００２８】
従って、前記ハウジング本体２の側部においてブラケットシュー２８に対して外部機器ベースユニット４１を取り付け、この外部機器ベースユニット４１により外部ストロボ等を支持した状態の基に水中で被写体の撮影を行う場合において、ブラケットシュー２８による優れた耐摩擦摩耗性によって、ブラケットシュー２８、外部機器ベースユニット４１間の微小振動の発生は皆無となり、外部機器ベースユニット４１により支持されている外部ストロボ等を安定した状態で保持することができ、水中撮影時におけるカメラマンの撮影操作性の向上を実現できる。
【００２９】
他方のハンドグリップ体２１Ｂに関しても、前記ハンドグリップ体２１Ａの場合と全く同様の作用、効果を発揮させることができ、両ハンドグリップ体２１Ａ、ハンドグリップ体２１Ｂ双方の各ブラケットシュー２８で外部ストロボ等を各々支持し水中撮影を実行するような場合にもカメラマンの撮影操作性の向上を実現できる。
【産業上の利用可能性】
【００３０】
本発明のブラケットシューの構成は、上述したようなハンドグリップ体に採用する場合の他、支柱上に重量物を連結配置するような機構に関して広範に応用可能である。
【図面の簡単な説明】
【００３１】
【図１】本発明の実施例に係る水中カメラハウジングのハンドグリップ体を備える水中カメラハウジングの概略斜視図である。
【図２】本実施例に係る一方のハンドグリップ体の分解斜視図である。
【図３】本実施例に係る一方のハンドグリップ体を取り付ける水中カメラハウジングの側面図である。
【図４】本実施例に係る他方のハンドグリップ体の分解斜視図である。
【図５】本実施例に係る他方のハンドグリップ体を取り付ける水中カメラハウジングの側面図である。
【符号の説明】
【００３２】
１    水中カメラハウジング
２    ハウジング本体
３    受ネジ孔
４    受ネジ孔
２１Ａ  ハンドグリップ体
２１Ｂ  ハンドグリップ体
２２    グリップ支柱
２２ａ  頂部
２２ｂ  ネジ孔
２３    ブラケット
２４    平座金
２５    バネ座金
２６    キャップスクリューネジ
２７    吊り下げベルトプレート
２７ａ  ネジ挿通孔
２７ｃ  ベルト孔
２８    ブラケットシュー
２９ａ  上側側片部
２９ｂ  基部
３０ａ  皿受孔
３１    ネジ受
３２    皿ネジ
４１    外部機器ベースユニット
４２    凹陥部
４３    取り付けネジ
【図１】
2009157170.tif 000003
【図２】
2009157170.tif 000004
【図３】
2009157170.tif 000005
【図４】
2009157170.tif 000006
【図５】
2009157170.tif 000007